(57)【特許請求の範囲】
【請求項１】
情報の送受信を行う伝送装置間において、各伝送装置から送信される出力情報の出力値を制御する出力値制御方法であって、
第１の伝送装置は、
前記出力値が最小出力値の状態で出力情報を、前記第１伝送装置とは別の第２の伝送装置へ送信するとともに、前記最小出力値を自身の出力値として、前記第２の伝送装置へ通知し、
前記出力情報が前記第２の伝送装置へ到達しない場合、前記自身の出力値を前回の出力値より所定の値だけ増加させて、前記出力情報の送信および当該送信時における前記自身の出力値の通知を繰り返し、
前記出力情報を受信した前記第２の伝送装置は、
前記通知された出力値を基に、前記第１の伝送装置の出力値を算出し、
前記算出した第１の伝送装置の出力値を出力適正値として前記第１の伝送装置へ通知し、
前記第１の伝送装置は、
前記通知された出力適正値で前記第２の伝送装置との送受信を行う
ことを特徴とする出力値制御方法。
【請求項２】
前記出力情報を受信した前記第２の伝送装置は、
前記算出した出力適正値を基に、前記第１の伝送装置が出力してもよい最大の出力値である最大出力上限値を算出し、
前記算出した最大出力上限値を前記第２の伝送装置へ通知する
ことを特徴とする請求項１に記載の出力値制御方法。
【請求項３】
前記第２の伝送装置が、
伝送路の損失が所定の度合い以上であることを検出すると、
前記自身の出力値を最大出力上限値に設定した後、前記第１の伝送装置における出力値を、前記第１の伝送装置における最大出力上限値とするよう指示する
ことを特徴とする請求項２に記載の出力値制御方法。
【請求項４】
前記第１の伝送装置が、
前記自身の出力値を最大出力上限値とした後、前記第２の伝送装置において、適正な出力情報の受信値である受信推奨受信値となるまで、前記自身の出力値を前記第２の伝送装置へ通知しつつ、前記出力値を徐々に減少させ、
前記第２の伝送装置における受信値が受信推奨受信値となると、
前記第２の伝送装置は、
前記通知された出力値を、前記第１の伝送装置の出力値として通知する
ことを特徴とする請求項３に記載の出力値制御方法。
【請求項５】
前記出力情報および各通知は、伝送路を介して送受信される
ことを特徴とする請求項１から請求項４のいずれか一項に記載の出力値制御方法。
【請求項６】
前記伝送路は、光ケーブルで構成されている
ことを特徴とする請求項５に記載の出力値制御方法。
【請求項７】
前記伝送路は、主信号が送受信される第１の伝送路と、前記第１の伝送路とは別の第２の伝送路と、を有しており、
前記通知は、前記第２の伝送路を介して送受信される
ことを特徴とする請求項５に記載の出力値制御方法。
【請求項８】
前記第１の伝送路は、光ケーブルで構成されている
ことを特徴とする請求項７に記載の出力値制御方法。
【請求項９】
情報の送受信を行う伝送装置間において、各伝送装置から送信される出力情報の出力値を制御する伝送システムであって、
前記各伝送装置は、
前記情報を他の伝送装置へ送信する送信部と、
他の伝送装置から前記情報を受信する受信部と、
前記送信部における出力値を設定するとともに、前記出力値を他の伝送装置へ通知する出力値設定部と、
を有しており、
第１の伝送装置において、
出力値設定部は、前記出力値が最小出力値の状態で出力情報を、送信部を介して、前記第１伝送装置とは別の第２の伝送装置へ送信するとともに、前記最小出力値を自身の出力値として、前記送信部を介して、前記第２の伝送装置へ通知し、
前記出力情報が前記第２の伝送装置へ到達しない場合、前記自身の出力値を前回の出力値より所定の値だけ増加させて、前記送信部を介して、前記出力情報の送信および当該送信時における前記自身の出力値の通知を繰り返し、
受信部で前記出力情報を受信した前記第２の伝送装置において、
出力値設定部は、前記通知された出力値を基に、前記第１の伝送装置の出力値を算出し、
前記算出した第１の伝送装置の出力値を出力適正値として前記第１の伝送装置へ、送信部を介して通知し、
前記第１の伝送装置において、
送信部および受信部は、前記通知された出力適正値で前記第２の伝送装置との送受信を行う
ことを特徴とする伝送システム。
【請求項１０】
前記出力情報を受信した前記第２の伝送装置において、
前記出力値設定部は、前記算出した出力適正値を基に、前記第１の伝送装置が出力してもよい最大の出力値である最大出力上限値を算出し、
前記送信部を介して、前記算出した最大出力上限値を前記第２の伝送装置へ通知する
ことを特徴とする請求項９に記載の伝送システム。
【請求項１１】
前記各伝送装置は、
受信した前記情報の受信値を測定する受信レベル測定部をさらに有し、
前記第２の伝送装置において、
受信レベル測定部は、伝送路の損失が所定の度合い以上であることを検出すると、
前記自身の出力値を最大出力上限値に設定した後、前記送信部を介して、前記第１の伝送装置における出力値を、前記第１の伝送装置における最大出力上限値とするよう指示する
ことを特徴とする請求項１０に記載の伝送システム。
【請求項１２】
前記第１の伝送装置において、
受信レベル測定部は、前記自身の出力値を最大出力上限値とした後、前記第２の伝送装置において、適正な出力情報の受信値である受信推奨受信値となるまで、前記自身の出力値を前記第２の伝送装置へ通知しつつ、前記出力値を徐々に減少させ、
前記第２の伝送装置において、
前記第２の伝送装置における受信値が受信推奨受信値となると、
前記出力値設定部は、前記送信部を介して、前記通知された出力値を、前記第１の伝送装置の出力値として通知する
ことを特徴とする請求項１１に記載の伝送システム。
【発明の詳細な説明】
【技術分野】
【０００１】
本発明は、情報の送受信を行う際の出力値制御方法および情報の送受信を行う伝送システムの技術に関する。
【背景技術】
【０００２】
光ケーブルなどの伝送路を介して大容量のデータを高速に伝送することができる光伝送システムが近年広く用いられている。
図１５は、従来の光伝送システムの代表的な構成例を示す図である。
この光伝送システムＺｂは、Ａ局側とＢ局側とに分かれている。
そして、Ａ局側には端末４Ａ（４）、伝送装置１Ａｂ（１ｂ）が備えられており、Ｂ局側には端末４Ｂ（４）、伝送装置１Ｂｂ（１ｂ）が設置されている。
そして、Ａ局側の伝送装置１ＡｂおよびＢ局側の伝送装置１Ｂｂは伝送路２で互いに接続されている。伝送路２は、光ケーブルなど光通信の区間であり、数ｋｍ〜百数十ｋｍの光ケーブルである。
また、各局において、端末４と伝送装置１ｂとは接続された構成を有している。
【０００３】
Ａ局側およびＢ局側に設置されている端末４は、データを生成し、伝送装置１ｂを介して伝送路２にデータを送信し、また、伝送装置１ｂを介して伝送路２からデータを受信して処理する。
Ａ局側およびＢ局側に設置されている伝送装置１ｂは、自身に設置されている（すなわち、自局の）端末４からデータ受け取って、そのデータを伝送路２を介して対向局へ伝送し、また、伝送路２から受信したデータを自局の端末４へ送信する。
【０００４】
伝送装置１ｂは、トランスポンダ部１０ｂと、監視制御部２０ｂとを有している。
トランスポンダ部１０ｂは、端末４から受け取ったデータを光信号に変換し、伝送路２へ送信するとともに、伝送路２から受信したデータを光信号からデジタル信号へ変換し、自局の端末４へ送信するものであり、端末接続部２００ｂと、データ処理部３００ｂと、光・電気変換部４００ｂとを有している。
端末接続部２００ｂは、端末４との接続が行われるものであり、端末４とのデータの送受信が行われる。
データ処理部３００ｂは、端末接続部２００ｂで受信したデータを光・電気変換部４００ｂへわたしたり、光・電気変換部４００ｂで受信し、デジタル信号に変換されたデータを端末接続部３００ｂへわたしたりする。
光・電気変換部４００ｂは、伝送路２と接続されており、端末４から送られたデータを光信号に変換したり、伝送路２から受信した光信号をデジタル信号に変換する。
監視制御部２０ｂは、伝送路２で送受信されるデータを監視している。
【０００５】
ここで、一方の伝送装置１ｂにおいて、伝送路２との接続部にアッテネータ５が設置されている。
アッテネータ５は、いわゆる減衰器であり、送信あるいは受信される光信号レベルを制御している。
光・電気変換部４００ｂは、光伝送システムＺｂの規格や、伝送装置１ｂの仕様を基に要求される最大距離まで通信が可能になるように、一定の光信号レベルで常時出力している。しかしながら、光・電気変換部４００ｂは、大きすぎる光信号レベルを有する光信号を受信すると、劣化や故障の原因となってしまう。これに対し、伝送路２の距離が十分短い場合は、アッテネータ５で光信号レベルを減衰させ、対向側の光・電気変換部４００ｂの受信可能光信号レベルに入るように調整している。
つまり、伝送装置１ｂは、長距離でも届くよう十分大きな光信号レベルで送信を行い、伝送装置１ｂ間の距離が小さい場合は、アッテネータ５で光信号レベルを減衰させている。なお、図１５に示すように、アッテネータ５は伝送路２の一方の末端側に設置されていればよい。
【０００６】
この場合、伝送装置１ｂは、伝送路２の距離に対し相当余裕のある光信号レベルで送信しているため、無駄な電力を消費していることになる。つまり、光伝送システムＺｂにおいて、伝送装置１ｂは大きな光信号レベルで送信した後、アッテネータ５で減衰することを行っているため、無駄な電力を消費している。
【０００７】
これに対し、特許文献１において、送信側の伝送装置が所定の光出力レベルで受信側の伝送装置に信号を送り、受信側の伝送装置で受信した光受信レベルを基に、送信側における光出力レベルを決定し、送信側の伝送装置へ通知する伝送装置およびその光出力レベル制御方法が開示されている。つまり、特許文献１に記載の技術において、伝送装置（親装置）は、光信号を最初に１回送信する。対向側の伝送装置（子装置）は、受信した光信号の光受信レベルを基に、光入力レベル余裕度を算出し、親装置の伝送装置へ送信する。光入力レベル余裕度を受信した伝送装置は、受信した光入力レベル余裕度から、光出力レベルを調整する。
このようにすることで、特許文献１に記載の技術では、光・電気変換部の光出力レベルを伝送路の距離に応じて低下させることにより、アッテネータを使用せず、無駄な電力を控えることができる省エネルギ制御を行うことを実現している。
【先行技術文献】
【特許文献】
【０００８】
【特許文献１】特開２０１０−１５４３７５号公報
【発明の概要】
【発明が解決しようとする課題】
【０００９】
実使用上では伝送路の距離が短い場合が多く、大半の場合、アッテネータを接続し、このアッテネータで光出力レベルを減衰させ、受信側の光・電気変換部４００ｂ（図１５）の受信可能な光信号レベルに入るように調整している。この場合、前記したように光・電気変換部４００ｂは、伝送路の距離に対し相当余裕のある光出力レベルで送信しているため、無駄な電力を消費していることになる。
【００１０】
また、特許文献１に記載の技術では、親装置が、子装置側の受信可能な光受信レベルがわからないまま、最初の光信号を送信している。そのため、送信された光信号レベルが、子装置側の受信可能な光受信レベルより大きかった場合、受信可能な光受信値以上の強い光信号が、子装置で受信されてしまう場合があり、子装置側の受信関連部分の劣化や故障につながってしまうおそれがある。
【００１１】
このような背景に鑑みて本発明がなされたのであり、本発明は、アッテネータを使用せずに、かつ、受信側の伝送装置における受信関連部分の劣化や、故障を確実に防止することを課題とする。
【課題を解決するための手段】
【００１２】
前記課題を解決するため、本発明は、情報の送受信を行う伝送装置間において、各伝送装置から送信される出力情報の出力値を制御する出力値制御方法であって、第１の伝送装置は、前記出力値が最小出力値の状態で出力情報を、前記第１伝送装置とは別の第２の伝送装置へ送信するとともに、前記最小出力値を自身の出力値として、前記第２の伝送装置へ通知し、前記出力情報が前記第２の伝送装置へ到達しない場合、前記自身の出力値を前回の出力値より所定の値だけ増加させて、前記出力情報の送信および当該送信時における前記自身の出力値の通知を繰り返し、前記出力情報を受信した前記第２の伝送装置は、前記通知された出力値を基に、前記第１の伝送装置の出力値を算出し、前記算出した第１の伝送装置の出力値を出力適正値として前記第１の伝送装置へ通知し、前記第１の伝送装置は、前記通知された出力適正値で前記第２の伝送装置との送受信を行うことを特徴とする。
その他の解決手段については、実施形態中において適宜記載する。
【発明の効果】
【００１３】
本発明によれば、アッテネータを使用せずに、かつ、受信側の伝送装置における受信関連部分の劣化や、故障を確実に防止することができる。
【図面の簡単な説明】
【００１４】
【図１】第１実施形態に係る光伝送システムの構成例を示すブロック図である。
【図２】Ａ局側におけるトランスポンダ部の構成例を示す図である。
【図３】Ｂ局側におけるトランスポンダ部の構成例を示す図である。
【図４】第１実施形態に係る保守情報の送受信を示す図である。
【図５】第１実施形態に係る保守情報の具体的な形式を示す図である。
【図６】第１実施形態に係る送信側と受信側との間における光信号レベルの関係を示す図である。
【図７】第１実施形態における送信側と受信側との間における伝送路の損失を考慮した出力レベルおよび受信レベルの関係を示す図である。
【図８】第１実施形態に係る出力値決定処理の手順を示すシーケンス図である（その１）。
【図９】第１実施形態に係る出力値決定処理の手順を示すシーケンス図である（その２）。
【図１０】第１実施形態に係る出力値決定処理の概要を示す図である。
【図１１】第１実施形態に係る伝送路損失対応処理の手順を示すシーケンス図である。
【図１２】伝送路損失対応処理後における出力値決定処理の手順を示すシーケンス図である（その１）。
【図１３】伝送路損失対応処理後における出力値決定処理の手順を示すシーケンス図である（その２）。
【図１４】第２実施形態に係る光伝送システムの構成例を示すブロック図である。
【図１５】従来の光伝送システムの代表的な構成例を示す図である。
【発明を実施するための形態】
【００１５】
次に、本発明を実施するための形態（「実施形態」という）について、適宜図面を参照しながら詳細に説明する。
【００１６】
［第１実施形態］
まず、図１〜図１３を参照して、本発明の第１実施形態について説明する。
（システム構成）
図１は、第１実施形態に係る光伝送システムの構成例を示すブロック図である。
光伝送システム（伝送システム）Ｚは、Ａ局側、Ｂ局側とに分かれており、各局毎に伝送装置１（１Ａ，１Ｂ）を有しており、各局の伝送装置１は伝送路２を介して接続されている。つまり、Ａ局側には第１の伝送装置１である伝送装置１Ａが設置され、Ｂ局側には第２の伝送装置である伝送装置１Ｂが設置されている。以降、Ａ局側を構成する要素である場合は符号の末尾に「Ａ」を付し、Ｂ局側を構成する要素である場合は符号の末尾に「Ｂ」を付すこととする。伝送路２は、例えば光ケーブルである。
伝送装置１は、トランスポンダ部１０（１０Ａ，１０Ｂ）を有している。
トランスポンダ部１０は、図示しない端末から送られたデジタルデータを光信号に変換して伝送路２に送信したり、伝送路２から受信した光信号をデジタルデータに変換して端末へ送信したりするとともに、出力値に関する情報が格納されている保守情報（詳細は後記）を生成・格納する。
【００１７】
トランスポンダ部１０は、ボードコントローラ１００（１００Ａ，１００Ｂ）と、端末接続部２００（２００Ａ，２００Ｂ）と、データ処理部３００（３００Ａ，３００Ｂ）と、光・電気変換部４００（４００Ａ，４００Ｂ）と、を有している。
端末接続部２００は、データを送受信する端末と接続され、端末からデータを受信したり、端末へデータを送信する。つまり、各局における伝送装置１は、端末制御部２００において図示しない端末と接続されている。
データ処理部３００は、端末接続部２００と、光・電気変換部４００との間でデータの送受信を媒介するとともに、データの送信に必要な情報が格納されている保守情報をデータにのせて（インサート）、出力情報を生成する。
光・電気変換部４００は、出力情報を光信号に変換して伝送路２へ送信するとともに、伝送路２から送られてきた光信号をデジタルデータに変換して、端末側へ送る。
ボードコントローラ１００は、出力レベルの設定や、保守情報の保持格納を行う。なお、本実施形態では、光信号の度合いを「出力レベル」などの「レベル」の語を用い、具体的な値を「出力値」など「値」の語を用いることとする。
【００１８】
図２はＡ局側におけるトランスポンダ部の構成例を示す図である。なお、図２において、図１と同様の構成については、同一の符号を付して説明を省略する。
トランスポンダ部１０Ａ（１０）において、データ処理部３００Ａ（３００）は、インサート部３０１Ａ（３０１）と、抽出部３０２Ａ（３０２）と、受信レベル監視部３０３Ａ（３０３）とを有する。
インサート部３０１Ａ（３０１）は、ボードコントローラ１００Ａ（１００）において、生成された保守情報を出力情報にのせる(インサート）する。
抽出部３０２Ａ（３０２）は、他局から送信された出力情報中の保守情報を抽出して、ボードコントローラ１００Ａ（１００）へ送る。
受信レベル監視部３０３Ａ（３０３）は、伝送路２を介して対向局から送信された出力情報の受信レベルや、誤り率を監視する。
【００１９】
光・電気変換部４００Ａ（４００）は、出力値の変更が可能であり、出力情報を光信号に変換して伝送路２へ送信する送信部４０１Ａ（４０１）と、受信した出力情報を光信号からデジタルデータに変換して、受信レベル監視部３０３Ａ（３０３）へ送る受信部４０２Ａ（４０２）とを有する。なお、受信部４０２は、受信レベルの測定を行ってもよい。
【００２０】
ボードコントローラ１００Ａ（１００）は、出力レベル設定部１０１Ａ（１０１）と、記憶部１０２Ａ（１０２）とを有する。
出力レベル設定部１０１Ａ（１０１）は、送信部４０１Ａ（４０１）における出力値を設定するとともに、この出力値に関する情報が記載されている保守情報を生成するなどの処理を行う。
記憶部１０２Ａ（１０２）は、保守情報中の出力レベルに関する情報などを記憶する。
【００２１】
図３はＢ局側におけるトランスポンダ部の構成例を示す図である。なお、図３は図２と同様の構成を有しているため、符号の末尾にＢ局側であることを示す「Ｂ」を付して説明を省略する。
【００２２】
なお、出力レベル設定部１０１、データ処理部３００、インサート部３０１、抽出部３０２および受信レベル監視部３０３は、ＲＯＭ（Read Only Memory）に格納されたプログラムが、ＣＰＵ（Central Processing Unit）によって実行されることによって具現化する。
【００２３】
図４は、第１実施形態に係る保守情報の送受信を示す図である。
図４に示すように、保守情報は、Ａ局側の伝送装置１Ａのトランスポンダ部１０ＡおよびＢ局側の伝送装置１Ｂのトランスポンダ部１０Ｂの間で送受信され、各伝送装置１は、この保守情報を基に出力値の設定を行う。
【００２４】
（保守情報）
図５は、第１実施形態に係る保守情報の具体的な形式を示す図である。
図５（ａ）はＡ局側の伝送装置１ＡからＢ局側の伝送装置１Ｂへ送信される保守情報である。
Ａ局側の伝送装置１ＡからＢ局側の伝送装置１Ｂへ送信される保守情報には、「Ａ局側の出力値」、「Ｂ局側に対する出力要求値」、「Ｂ局側に対する最大出力上限値」の欄がある。
「Ａ局側の出力値」は、Ａ局側の伝送装置１Ａにおける現在の出力値が格納されている。
「Ｂ局側に対する出力要求値」は、Ａ局側の伝送装置１Ａが要求するＢ局側の伝送装置１Ｂの出力値である。
「Ｂ局側に対する最大出力上限値」は、Ａ局側の伝送装置１Ａが要求するＢ局側の伝送装置１Ｂの最大出力値である。
【００２５】
図５（ｂ）はＢ局側の伝送装置１ＢからＡ局側の伝送装置１Ａへ送信される保守情報である。
Ｂ局側の伝送装置１ＢからＡ局側の伝送装置１Ａへ送信される保守情報には、「Ｂ局側の出力値」、「Ａ局側に対する出力要求値」、「Ａ局側に対する最大出力上限値」の欄がある。
「Ｂ局側の出力値」は、Ｂ局側の伝送装置１Ｂにおける現在の出力値が格納されている。
「Ａ局側に対する出力要求値」は、Ｂ局側の伝送装置１Ｂが要求するＡ局側の伝送装置１Ａの出力値である。
「Ａ局側に対する最大出力上限値」は、Ｂ局側の伝送装置１Ｂが要求するＡ局側の伝送装置１Ａの最大出力値である。
【００２６】
（光信号レベル）
図６は、第１実施形態に係る送信側と受信側との間における光信号レベルの関係を示す図である。なお、図６、図７では、図面上方へいくほど光信号レベルが高くなり、図面下方へいくほど光信号レベルが低くなる。
送信側における最大出力値６０１は、送信側の伝送装置１における送信部４０１が出力可能な光信号の最大値である。つまり、送信側の伝送装置１における送信部４０１は、最大出力値６０１より大きい光信号をハード的に出力することができない。
送信側における最小出力値６０２は、送信側の伝送装置１における送信部４０１が出力可能な光信号の最小値である。つまり、送信側の伝送装置１における送信部４０１は、最小出力値６０２より小さい光信号をハード的に出力することができない。
【００２７】
受信側における受信可能最大入力値６１１は、受信側の伝送装置１における受信部４０２が受信可能な光信号の最大値である。つまり、受信側の伝送装置１における受信部４０２は、受信可能最大入力値６１１より大きい光信号レベルを有する光信号を受信すると、受信部４０２の劣化や故障の原因となる可能性がある。
受信側における受信可能最小入力値６１２は、受信側の伝送装置１における受信部４０２が受信可能な光信号の最小値である。つまり、受信側の伝送装置１における受信部４０２は、受信可能最小入力値６１２より小さい光信号レベルを有する光信号は、ハード的に受信できない（受信可能範囲外）。
【００２８】
また、符号６２１は、送信側において最小出力値６０２で送信された光信号は、伝送路２において光信号レベルが減衰してしまうため、受信側の伝送装置１に届く頃には受信可能最小入力値６１２以下となってしまい、受信側において受信することができない（受信可能範囲外）ことを示している。
【００２９】
図７は、第１実施形態における送信側と受信側との間における伝送路の損失を考慮した出力レベルおよび受信レベルの関係を示す図である。なお、図７において、図６と同様のものについては、同一の符号を付して説明を省略する。
最大出力上限値７０１は、受信可能最大入力値６１１に伝送路２における損失を加えた出力レベルである。つまり、最大出力上限値７０１より大きい出力値で送信側の伝送装置１が光信号を出力すると、受信側の伝送装置１で受信する光信号は受信可能最大入力値６１１を超えた受信レベルとなってしまう。
【００３０】
最小出力下限値７０３は、受信可能最小入力値６１１に伝送路２における損失を加えた出力レベルである。つまり、最小出力下限値７０３より小さい出力値で送信側の伝送装置１が光信号を出力すると、受信側の伝送装置１で受信する光信号は受信可能最小入力値６１２を下回る受信レベルとなってしまう。
つまり、受信側の受信部４０２を保護するため、送信側の伝送装置１は、最大出力上限値７０１以下、最小出力下限値７０３以上の出力値で光信号を出力しなければならない。
受信可能最大入力差分７１３は、受信可能最大入力値６１１と、受信推奨入力値７１１との差分値である。
【００３１】
そして、受信推奨入力値７１１は、受信側の伝送装置１において推奨される受信レベルである。受信推奨入力値７１１は、受信可能最小入力値６１２に予め設定されているレベルマージン７１２を加えた値である。そして、出力適正値７０２は、受信推奨入力値７１１に伝送路２における損失を加えた出力レベルであり、送信側の伝送装置１が最終的に出力する値である。レベルマージン７１２とは、データ誤り率が規定値以下であることや、伝送路２の損失変動や、送信部４０１や、受信部４０２の部品経年劣化等を考慮してユーザが予め決めておく値である。
【００３２】
なお、監視閾値７２１は、伝送路２の損失が大きくなり、受信レベルが監視閾値７２１以下となった場合に、受信レベル監視部３０３が伝送路２の損失の増加を検知するための閾値である。
【００３３】
（処理手順）
図８、図９は、第１実施形態に係る出力値決定処理の手順を示すシーケンス図である。
まず、Ａ局側の伝送装置１ＡおよびＢ局側の伝送装置１Ａの電源がＯＮになる（図８のＳ１０１、Ｓ１０２）と、Ａ局側の出力レベル設定部１０１Ａが、自身の送信部４０１Ａの出力値を「最小出力値」（図６の符号６０２）に設定し（Ｓ１０３）、この出力値が格納された保守情報を生成する（Ｓ１０４）。このとき、送信部４０１Ａの出力値は「最小出力値（Ｘｍｉｎとする）」（図７の符号６０２）であり、この値が保守情報の「Ａ局側の出力値」の欄に書き込まれている。保守情報のその他の欄は空欄である。
そして、生成された保守情報がインサート部３０１Ａにおいて、出力情報にインサートされると（Ｓ１０５）、送信部４０Ａ１から出力情報が伝送路２に送信される（Ｓ１０６）。このとき、出力情報はＡ局の最小出力値（図７の符号６０２）の強さで送信される。つまり、伝送装置１Ａは、保守情報によって、自身の出力値を伝送装置１Ｂへ通知する。
しかし、この出力情報は、出力値が小さいため（すなわち、受信可能範囲外：図６の符号６２１）、Ｂ局側の伝送装置１Ｂには届かない（ステップＳ１０７）。
【００３４】
一定時間Ｂ局側の伝送装置１Ｂから返信が来ないことを確認した後、出力レベル設定部１０１Ａは、送信部４０１Ａの出力値を所定の値だけ増加させた値に変更し（Ｓ１０８）、保守情報を更新する（Ｓ１０９）。このとき、送信部４０１Ａの出力値は「Ｘｍｉｎ＋ｘ」であり、この値が保守情報の「Ａ局側の出力値」の欄に書き込まれている。保守情報のその他の欄は空欄である。ここで、「ｘ」は所定の値である。
そして、生成された保守情報がインサート部３０１Ａにおいて、出力情報にインサートされると（Ｓ１１０）、送信部４０１Ａから保守情報がインサートされた出力情報が出力される（Ｓ１１１）。このとき、出力情報は「Ｘｍｉｎ＋ｘ」の強さで送信される。
しかし、この出力情報も、出力値が小さいため、Ｂ局側の伝送装置１Ｂには届かない（Ｓ１１２）。
【００３５】
一定時間Ｂ局側の伝送装置１Ｂから返信が来ないことを確認した後、出力値設定部１０１Ａは送信部４０１Ａの出力値を所定の値だけ増加させた値に変更し（Ｓ１１３）、保守情報を更新する（Ｓ１１４）。このとき、送信部４０１Ａの出力値は「Ｘｍｉｎ＋２ｘ」であり、この値が保守情報の「Ａ局側の出力値」の欄に書き込まれている。保守情報のその他の欄は空欄である。
そして、生成された保守情報がインサート部３０１Ａにおいて、出力情報にインサートされると（Ｓ１１５）、送信部４０１Ａから保守情報がインサートされた出力情報が出力される（Ｓ１１６）。このとき、出力情報は「Ｘｍｉｎ＋２ｘ」の強さで送信される。
【００３６】
そして、この出力情報がＢ局側の伝送装置１Ｂに届き、Ｂ局の受信部４０２Ｂがこの出力信号を受信したとする（Ｓ１１７）。具体的には、受信レベル監視部３０３Ｂ（図３）は出力情報におけるエラー率が所定の値以下であることなどを検知する。このとき、受信レベル監視部３０３Ｂは出力情報の受信値を測定する。この受信値が、Ｂ局側における受信可能最小入力値（図６、図７の符号６１２）となる。また、この時のＡ局側の伝送装置１Ａにおける出力値は、最小出力下限値（図７の符号７０３）である。
【００３７】
すると、抽出部３０２Ｂは受信した出力情報から保守情報を抽出し（Ｓ１１８）、出力値設定部１０１Ｂが抽出した保守情報に書き込まれている各種情報を記憶部１０２Ｂに格納する（Ｓ１１９）。このとき、出力レベル設定部１０１Ｂは、受信した保守情報の「Ａ局側の出力値」の欄に書き込まれている「Ｘｍｉｎ＋２ｘ」を抽出して、この値を「Ａ局側における最小出力下限値」（図７の符号７０３）として記憶部１０２Ｂに格納する。同時に、出力レベル設定部１０１Ｂは、受信値を「Ｂ局側の受信可能最小入力値」（図７の符号６１２）として記憶部１０２Ｂに格納する。
【００３８】
次に、出力レベル設定部１０１Ｂは、以下の各種情報を算出する（図９のＳ１２１）。
まず、出力レベル設定部１０１Ｂは、記憶部１０２Ｂに格納している「Ａ局側における最小出力下限値」（＝「Ａ局側の出力値」）（図７の符号７０３）に、予め設定されているレベルマージン（図７の符号７１２）を加算することで「Ａ局側に対する出力要求値」を算出する。この算出された「Ａ局側に対する出力要求値」がＡ局側の伝送装置１Ａにおける出力適正値（図７の符号７０２）となる。
【００３９】
また、出力レベル設定部１０１Ｂは、「Ｂ局側の受信可能最小入力値（図７の符号６１２）に、予め設定されているレベルマージン（図７の符号７１２）を加算することでＢ局側における受信推奨入力値（図７の符号７１１）を算出する。出力レベル設定部１０１Ｂは、自身の受信可能最大入力値（図７の符号６１１）を知っているので、出力レベル設定部１０１Ｂは、この受信可能最大入力値（図７の符号６１１）と、受信推奨入力値（図７の符号７１１）との差分である受信可能最大入力差分（図７の符号７１３）を算出する。ここで、算出された受信可能最大入力差分は記憶部１０２Ｂに格納される。そして、出力レベル設定部１０１Ｂは、「Ａ局側に対する出力要求値」（＝Ａ局側における出力適正値）に、算出した受信可能最大入力差分（図７の符号７１３）を加算することで「Ａ局側における最大出力上限値」（図７の符号７０１）を算出する。
【００４０】
ここで、図８、図９において図示していないが、これまでの間に伝送装置１ＢでもステップＳ１０３〜ステップＳ１１６と同様の処理が、伝送装置１Ａの処理と並行して行われてきている（図１０において後記）。
次に、出力レベル設定部１０１Ｂは、前回の出力情報送信時（図８、図９には記載なし）より所定の値だけ送信部４０１Ｂの出力値を増加させることによって出力値を変更する（Ｓ１２２）。このときの出力値を「Ｙ」とする。
続いて、出力レベル設定部１０１Ｂは保守情報を更新する（Ｓ１２３）。このとき、出力レベル設定部１０１Ｂは、現在のＢ局側の出力値（「Ｙ」）、ステップＳ１２１で算出した「Ａ局側に対する出力要求値」、「Ａ局側に対する最大出力上限値」を保守情報の該当する欄に書き込む。
【００４１】
そして、インサート部３０１Ｂが、更新された保守情報を出力情報にインサートすると（Ｓ１２４）、送信部４０１Ｂから出力情報が出力される（Ｓ１２５）。このとき、出力情報は出力値「Ｙ」の強さで送信される。
しかし、この出力情報は出力値が小さいため、Ａ局側の伝送装置１Ａには届かない（Ｓ１２６）。
【００４２】
一定時間、Ａ局側の伝送装置１Ａから返信が来ないことを確認した後、出力レベル設定部１０１Ｂは、送信部４０１Ｂの出力値を所定の値だけ増加させた値に変更し（Ｓ１２７）、保守情報を更新する（Ｓ１２８）。このとき、送信部４０１Ｂの出力値は「Ｙ＋ｙ」の値であり、保守情報の「Ｂ局側の出力値」の欄にはこの値が書き込まれる。ここで、「ｙ」は所定の値である。保守情報において、「Ａ局側に対する出力要求値」、「Ａ局側に対する最大出力上限値」の欄には、ステップＳ１２１で算出された値が書き込まれる。
そして、インサート部３０１Ｂが、生成された保守情報を出力情報にインサートすると（Ｓ１２９）、送信部４０１Ｂから出力情報が出力される（Ｓ１３０）。このとき、出力情報は「Ｙ＋ｙ」の強さで送信される。
【００４３】
そして、この出力情報が伝送装置１Ａに届き、受信部４０２Ａがこの出力信号を受信したとする（Ｓ１３１）。受信レベル監視部３０３Ａ（図２）は、このときの受信値を測定する。
抽出部３０２Ａが受信した出力情報から保守情報を抽出し（Ｓ１３２）、出力レベル設定部１０１Ａが、保守情報に書き込まれている各種情報を記憶部１０２Ａに格納する（Ｓ１３３）。ここで格納される情報は、受信した保守情報における「Ａ局側に対する出力要求値」、「Ａ局側に対する最大出力上限値」などである。
このとき、出力レベル設定部１０１Ａは、Ｂ局側の出力レベル設定部１０１Ｂと同様の手順で、「Ｂ局側に対する出力要求値」および「Ｂ局側の最大出力上限値」といった各種情報を算出する（Ｓ１３４）。
そして、出力レベル設定部１０１Ａは、受信した保守情報における「Ａ局側に対する出力要求値」の値（すなわち、Ａ局側の出力適正値（図７の符号７０２））に送信部４０１Ａの出力値を変更する（Ｓ１３５）。
【００４４】
次に、出力レベル設定部１０１Ａは、保守情報を更新する（Ｓ１３６）。このとき、出力レベル設定部１０１Ａは、変更した出力値を「Ａ局側の出力値」に格納するとともに、ステップＳ１３４で算出した「Ｂ局側に対する出力要求値」「Ｂ局側の最大出力上限値」を保守情報の該当する欄に書き込む。ここで、伝送装置１Ａおよび伝送装置１Ｂの間で送受信される保守情報は、すべての欄が埋まることになる。
そして、インサート部３０１Ａが、更新された保守情報を出力情報にインサートし（Ｓ１３７）、送信部４０１Ａが出力情報を伝送路２へ送信し（Ｓ１３８）、受信部４０２Ｂがこの出力情報を受信する（Ｓ１３９）。このとき、出力情報はＡ局における出力適正値（図７の符号７０２）の強さで送信される。
伝送装置１Ｂは、送信部４０１Ｂの出力値を、受信した保守情報の「Ｂ局側に対する出力要求値」の欄に書き込まれている値に変更する。以降、伝送装置１Ａおよび伝送装置１Ｂとは、出力適正値で情報が送受信される。
【００４５】
なお、出力値を上げて送信することを何度繰り返しても送信先の伝送装置１へ出力情報が到達しない場合、送信元のボードコントローラ１００が図示しない管理者端末の表示部に出力情報が送信先の伝送装置１へ到達しない旨の表示を行う。この場合、送信先の伝送装置１に搭載されている光・電気変換部４００の光特性仕様が、伝送路２の距離を満たしていない可能性があるため、管理者は光・電気変換部４００を伝送路２の距離に合ったものに変更するなどの処置を行う。
【００４６】
このような処理を行うことにより、伝送装置１は、伝送路２に対し適切な出力値を設定することができる。また、伝送路２に対し適切な出力値を設定することができることから、アッテネータを設置しなくても伝送品質を十分満足し、かつ、出力値を可能な限り低く抑えることが可能である。つまり、省エネルギ制御が可能となる。
また、最小光出力値（図７の符号６０２）から徐々に出力値を大きくしていくため、受信側における受信可能な受信値がわからなくても、受信側の伝送装置１の受信部４０１の劣化や、故障を防止することができ、ネットワークの信頼性を高めることができる。
【００４７】
図１０は、第１実施形態に係る出力値決定処理の概要を示す図である。
図８、図９では、説明が煩雑になるのを避けるため原則としてＡ局側からＢ局側へ保守情報が送信され、Ｂ局側の伝送装置１Ｂで保守情報を受信した後、Ｂ局側からＡ局側へ保守情報が送信される形式とした。しかしながら、実際には、図１０に示すように、Ａ局側およびＢ局側の双方が並列的に保守情報の送信を行っている。ここで、図１０に示す矢印のうち、実線の矢印が図８、図９で説明した箇所であり、破線の矢印は煩雑になるのを避けるため、図８、図９の説明では省略した箇所である。
ここで、図１０のステップ番号と、図８、図９とのステップ番号との対応を記すと、Ｓ２０１：Ｓ１０３、Ｓ２０２：Ｓ１０４、Ｓ２０３：Ｓ１０８、Ｓ２０４：Ｓ１０９、Ｓ２０５：Ｓ１１３、Ｓ２０６：Ｓ１１４、Ｓ２１７：Ｓ１２２、Ｓ２１８：Ｓ１２３、Ｓ２１９：Ｓ１２７、Ｓ２２０：Ｓ１２８となる。
そして、図１０のステップＳ２１１〜Ｓ２１６の処理は、煩雑になるのを避けるため、図８、図９における説明を省略した処理であり、その処理内容は、図８のステップＳ１０３〜Ｓ１１６と同様である。
【００４８】
図１１は、第１実施形態に係る伝送路損失対応処理の手順を示すシーケンス図である。図１１に記載の処理は、劣化などが原因で伝送路２の損失が急増した状況における通信の回復処理に関するシーケンス図である。
伝送路２の損失が急に増加した場合、保守情報の送受信が不可能となる。これに伴い、出力値の再調整が不可能となり、自局側の端末と対向側の端末との間の通信が不可能になる場合がある。図１１において、このような問題を解決するための処理を説明する。
【００４９】
まず、通常の情報の送受信において、出力情報には保守情報が常に付与されている。そして、受信レベル監視部３０３は、出力情報に付与されている誤り訂正符号から算出されエラー率が記憶部１０２に記憶されている規定値以上となっていないか、また、受信した出力情報の受信値が監視閾値（図７の符号７２１）以下となっていないか、を監視している。
【００５０】
また、記憶部１０２Ｂには、図８のステップＳ１１９で記憶部１０２Ｂに格納された「（Ｂ局側の）受信可能最小入力値」、「Ａ局側の最小出力下限値」、また、ステップＳ１３４で算出され、保守情報によって伝送装置Ｂへ通知された「Ｂ局側の最大出力上限値」が格納されている。なお、図示していないが伝送装置１Ａの記憶部１０２Ａにも同様の情報が格納されている。
【００５１】
そして、伝送路２の損失が急増し（Ｓ３０１）、受信レベル監視部３０３Ｂが誤り率が規定値以上となったのを検出するか、送受信情報の受信値が監視閾値７２１以下となったのを検出するなどの方法で伝送路２の損失が急増したことを検知する（Ｓ３０２）。すなわち、受信レベル監視部３０３が、伝送路２の損失が所定の度合い以上であることを検知する。
【００５２】
すると、出力レベル設定部１０１Ｂは、以下の各種情報を算出する（Ｓ３０３）。つまり、出力レベル設定部１０１Ｂは、記憶部１０２Ｂに格納されている「Ａ局側の最小出力下限値」（図７の符号７０３）に、レベルマージン（図７の符号７１２）と、Ｂ局側における受信可能最大入力差分（図７の符号６１１）とを加算することで「Ａ局側における最大出力上限値」（図７の符号７０１）を算出する。
すると、伝送装置１Ｂの出力レベル設定部１０１Ｂが、送信部４０１Ｂの出力値を変更する（Ｓ３０４）。このとき、出力レベル設定部１０１Ｂは、記憶部１０２Ｂに記憶されている「Ｂ局側における最大出力上限値」（図７の符号７０１）の値を出力値として送信部４０１Ｂに設定する。
【００５３】
そして、出力レベル設定部１０１Ｂが保守情報を更新する（Ｓ３０５）。このとき、出力レベル設定部１０１Ｂは、「Ｂ局側における最大出力上限値」を保守情報の「Ｂ局側の出力値」の欄に書き込む。また、出力レベル設定部１０１Ｂは、保守情報の「Ａ局側に対する出力要求値」および「Ａ局側に対する最大出力上限値」の欄にステップＳ３０３で算出した「Ａ局側における最大出力上限値」（図７の符号７０１）を書き込む。
すなわち、出力レベル設定部１０１Ｂは、送信部４０１Ｂの出力値を自身における最大出力上限値とするとともに、Ａ局側の伝送装置１Ａに、出力値を「Ａ局側における最大出力上限値」に設定するよう要求する。
【００５４】
そして、インサート部３０１Ｂが、更新された保守情報を出力情報にインサートし（Ｓ３０６）、送信部４０１Ｂから出力情報が伝送路２に送信される（Ｓ３０７）。このとき、出力情報ＢはＢ局側における最大出力上限値の強さで送信される。
【００５５】
伝送装置１Ａの受信部４０２Ａが、この出力情報を受信すると（Ｓ３０８）、抽出部３０２Ａが受信した出力情報から保守情報を抽出する（Ｓ３０９）。
そして、出力レベル設定部１０１Ａは、送信部４０１Ａの出力値を、受信した保守情報の「Ａ局側に対する出力要求値」の欄に書き込まれている「Ａ局側における最大出力上限値」に変更する（Ｓ３１０）。
【００５６】
そして、出力レベル設定部１０１Ａが、保守情報を更新する（Ｓ３１１）。この保守情報の「Ａ局側の出力値」の欄には「Ａ局側における最大出力上限値」が書き込まれ、「Ｂ局側の出力要求値」および「Ｂ局側における最大出力上限値」の欄には「Ｂ局側における最大出力上限値」が書き込まれる。なお、「Ｂ局側における最大出力上限値」（図７の符号７０３）は、図１１には図示していないが記憶部１０２Ａに格納されている。
そして、インサート部３０１Ａが、この保守情報を出力情報にインサートし（Ｓ３１２）、送信部４０１Ａが出力情報を伝送路２に送信する（Ｓ３１３）。
【００５７】
伝送装置１Ｂにおける受信部４０２Ｂが送信された出力情報を受信すると（Ｓ３１４）、受信レベル監視部３０３Ｂが、送信された出力情報情報に付与されている誤り訂正符号から算出されエラー率が記憶部１０２に記憶されている規定値以上となっていないか、また、受信した出力情報の受信値が監視閾値（図７の符号７２１）以下となっていないこと確認する（ＯＫ：Ｓ３１５）。
【００５８】
これまでの処理により、伝送装置１Ａおよび伝送装置１Ｂの出力値が、それぞれの「最大出力上限値」となる。つまり、「Ａ局側→Ｂ局側」および「Ｂ局側→Ａ局側」への出力値が、ともに最大出力上限値となり、伝送路２の損失が変動した場合でも、伝送装置１の受信部４０２を保護しつつ、即座に回線の復旧が可能である。また、受信側の誤り率や受信値を監視し、この監視結果を基に図１１の処理を行うため、伝送路２の損失が急激に増大し、出力情報（保守情報）が到達しなくても、出力値を即座に増加させることができ、回線の復旧が可能となるため、伝送路２の信頼性が向上する。
【００５９】
しかしながら、このままでは、送信側の出力値が不要に高い状態となっているため、送信時に無駄な電力消費が発生してしまう。従って、ステップＳ３１５の処理後、一定時間が経過すると、出力値を徐々に下げていく。
【００６０】
図１２および図１３は、図１１の処理後における出力値決定処理の手順を示すシーケンス図である。
図１１の処理が終了して一定時間経過後、出力レベル設定部１０１Ａが、自身の送信部４０１Ａの出力値を、設定されている「最大出力上限値」（図７の符号７０１：Ｘｍａｘとする）から所定の値だけ減算した値に変更し（Ｓ４０１）、この出力値が書き込まれた保守情報に更新する（Ｓ４０２）。このとき、保守情報には、「Ａ局側の出力値」として「Ｘｍａｘ−ｘ」の値が書き込まれている。ここで、「ｘ」は所定の値である。また、保守情報における、その他の欄は空欄である。
そして、生成された保守情報がインサート部３０１Ａにおいて、出力情報にインサートされると（Ｓ４０３）、送信部４０１Ａから出力情報が伝送路２に送信される（Ｓ４０４）。このとき、出力情報は「Ｘｍａｘ−ｘ」の強さで送信される。
【００６１】
受信部４０２Ｂがこの出力情報を受信すると（Ｓ４０５）、受信レベル監視部３０３Ｂが受信値を判定する。ここでは、受信値がＢ局側の受信推奨入力値（図７の符号７１１）と比較して大きいため、受信レベル監視部３０３Ｂは「ＮＧ」と判定する（Ｓ４０６）。なお、受信推奨入力値は、図１１に示すように記憶部１０２Ｂに記憶されている（Ｂ局側の）受信可能最小入力値（図７の符号６１２）にレベルマージン（図７の符号７１２）を算出した値である。
【００６２】
一定時間Ｂ局側の伝送装置１Ｂから返信が来ないことを確認した後、出力レベル設定部１０１Ａは、自身の送信部４０１Ｂの出力値を所定の値だけ減算した値に変更し（Ｓ４０７）、保守情報を更新する（Ｓ４０８）。このとき、送信部４０１の出力値は、「Ｘｍａｘ―２ｘ」であり、保守情報の「Ａ局側の出力値」の欄には、この値が書き込まれている。保守情報のその他の欄は空欄である。
そして、生成された保守情報がインサート部３０１において、出力情報にインサートされると（Ｓ４０９）、送信部４０１Ａから出力情報が伝送路２に送信される（Ｓ４１０）。このとき、出力情報は「Ｘｍａｘ−２ｘ」の強さで送信される。
【００６３】
受信部４０２Ｂがこの出力情報を受信すると（Ｓ４１１）、受信レベル監視部３０３Ｂが受信値を判定する。ここでは、受信値がＢ局側の受信推奨入力値（図７の符号７１１）と比較して大きいため、受信レベル監視部３０３Ｂは「ＮＧ」と判定する（Ｓ４１２）。
【００６４】
一定時間Ｂ局側の伝送装置１Ｂから返信が来ないことを確認した後、送信部４０１Ａの出力値を所定の値だけ減算した値に変更し（Ｓ４１３）、出力レベル設定部１０１Ａが保守情報を更新する（Ｓ４１４）。このとき、保守情報には、送信部４０１Ａの出力値として「Ｘｍａｘ−３ｘ」の値が書き込まれている。保守情報のその他の欄は空欄である。
そして、生成された保守情報がインサート部３０１Ａにおいて、出力情報にインサートされると（Ｓ４１５）、送信部４０１Ａから保守情報がインサートされた出力情報が出力される（Ｓ４１６）。このとき、出力情報は「Ｘｍａｘ−３ｘ」の強さで送信される。
【００６５】
受信部４０２Ｂがこの出力情報を受信すると（Ｓ４１７）、受信レベル監視部３０３Ｂが受信値を判定する。ここでは、受信値がＢ局側の受信推奨入力値（図７の符号７１１）と同一、あるいは受信推奨入力値から所定の範囲内の値であるため、受信レベル監視部３０３Ｂは「ＯＫ」と判定する（Ｓ４１８）。
【００６６】
すると、Ｂ局側の抽出部３０２Ｂは受信した出力情報から保守情報を抽出する（Ｓ４１９）。
【００６７】
次に、出力レベル設定部１０１Ｂは、以下の各種情報を算出する（図１３のＳ４３０）。
まず、出力レベル設定部１０１Ｂは、受信した保守情報の「Ａ局側の出力値」に書き込まれている値（Ｘｍａｘ−３ｘ）に、受信可能最大入力差分（図７の符号７１３）を加算することによって、「Ａ局側の最大出力上限値」を算出する。
【００６８】
ここで、図１２、図１３において図示していないが、これまでの間に伝送装置１ＢでもステップＳ４０１〜ステップＳ４１２と同様の処理が、伝送装置１Ａの処理と並行して行われてきている。
そして、出力レベル設定部１０１Ｂは、送信部４０１Ｂの出力値を、前回の出力値（「Ｙ１」とする）より、所定の値だけ減算した値（「Ｙ１−ｙ」）に変更する（Ｓ４３１）。
続いて、出力レベル設定部１０１Ｂは保守情報を更新する（Ｓ４３２）。このとき、出力レベル設定部１０１Ｂは、保守情報の「Ｂ局側の出力値」の欄に、現在の送信部４０１Ｂの出力値（「Ｙ１−ｙ」）を書き込む。そして、出力レベル設定部１０１Ｂは「Ａ局側に対する出力要求値」の欄に、受信した保守情報の「Ａ局側の出力値」を書き込み、算出した「Ａ局側に対する最大出力上限値」を保守情報の該当する欄に書き込む。
【００６９】
そして、インサート部３０１Ｂが、更新された保守情報を出力情報にインサートすると（Ｓ４３３）、送信部４０１Ｂから出力情報が伝送路２に送信される（Ｓ４３４）。このとき、出力情報は出力値「Ｙ１−ｙ」の強さで送信される。
【００７０】
受信部４０２Ａがこの出力情報を受信すると（Ｓ４３５）、受信レベル監視部３０３Ａが受信値を判定する。ここでは、受信値がＡ局側の受信推奨入力値（図７の符号７１１）と同一、あるいは受信推奨入力値から所定の範囲内の値であるため、受信レベル監視部３０３Ａは「ＯＫ」と判定する（Ｓ４３６）。なお、ここで、受信レベル監視部３０３Ａが「ＮＧ」と判定した場合、伝送装置１Ｂは、出力値を所定の値だけ減算し、保守情報の変更を行なった上で、伝送装置１Ａへ送信する。
すると、抽出部３０２Ａが、出力情報から保守情報を抽出し（Ｓ４３７）、出力レベル設定部１０１Ａが保守情報における各種情報を記憶部１０２Ａに格納する（Ｓ４３８）。ここで、記憶部１０２Ａに格納される情報は、「（Ａ局側における）最大出力上限値」である。
【００７１】
次に、出力レベル設定部１０１Ａが各種情報の算出を行う（Ｓ４３９）。ここで、出力レベル設定部１０１Ａは、受信した保守情報の「Ｂ局側の出力値」の欄に書き込まれている値に、受信可能最大入力差分（図７の符号７１３）を加算して「Ｂ局に対する最大出力上限値」を算出する。
【００７２】
そして、出力レベル設定部１０１Ａが、送信部４０１Ａの出力値を、受信した保守情報の「Ａ局側に対する出力要求値」の欄に書き込まれている値に変更し（Ｓ４４０）、保守情報を更新する（Ｓ４４１）。このとき変更された値が、Ａ局側における出力適正値（図７の符号７０２）の強さとなる。
このときの保守情報には、「Ａ局側の出力値」として、受信した保守情報の「Ａ局側に対する出力要求値」の欄に書き込まれている値が書き込まれ、「Ｂ局側に対する出力要求値」として、受信した保守情報の「Ｂ局側の出力値」の欄に書き込まれている値が書き込まれ、「Ｂ局側に対する最大出力上限値」として、ステップＳ４３９で算出された値が格納される。
そして、インサート部３０１Ａが、更新された保守情報を出力情報にインサートし（Ｓ４４２）、送信部４０１Ａが出力情報を伝送路２へ送信し（Ｓ４４３）、受信部４０２Ｂがこの出力情報を受信する（Ｓ４４４）。受信値がＢ局側の受信推奨入力値（図７の符号７１１）と同一、あるいは受信推奨入力値から所定の範囲内の値であるため、受信レベル監視部３０３Ｂは「ＯＫ」と判定する（Ｓ４４５）。
以降、伝送装置１Ａおよび伝送装置１Ｂとは、出力適正値で情報が送受信される。
【００７３】
以上の制御により、再度、伝送装置１は、伝送路２に対し適切な出力値を設定することができる。
【００７４】
［第２実施形態］
次に、図１４を参照して、本発明の第２実施形態について説明する。
第１実施形態では、省エネルギ制御のため、伝送路２の出力情報の中に、保守情報をインサートする必要がある。しかしながら、出力情報が伝送路帯域に対し１００％の状態では、保守情報をインサートすることができず、第１実施形態のような制御ができなくなってしまう場合がある。第２実施形態ではこのような問題を解決するための方法を説明する。
（システム構成）
図１４は、第２実施形態に係る光伝送システムの構成例を示すブロック図である。なお、図１４において、図１と同様の構成要素に対しては同一の符号を付して説明を省略する。
図１４の伝送装置１ａが図１と異なる点は、ボードコントローラ１００（１００Ａ，１００Ｂ）に接続されている監視制御部２０（２０Ａ，２０Ｂ）を有し、伝送装置１Ａａの監視制御部２０Ａと伝送装置１Ｂａの監視制御部２０Ｂとは、伝送路２とは別のネットワーク３で接続されている点である。
なお、データ処理部３００において、図１におけるインサート部３０１と抽出部３０２とが省略されてもよい。
【００７５】
なお、出力レベル設定部１０１、データ処理部３００、インサート部３０１、抽出部３０２、受信レベル監視部３０３および監視制御部２０は、ＲＯＭに格納されたプログラムが、ＣＰＵによって実行されることによって具現化する。
【００７６】
第１実施形態では、保守情報が出力情報にインサートされて、伝送路２を介して互いの伝送装置１で送受信されていたが、第２実施形態では、保守情報は、監視制御部２０によって伝送路２とは異なるネットワーク３を介して送受信される。そして、出力情報は保守情報をインサートされることなく、伝送路２を介して送受信される。また、受信レベル監視部３０３は、伝送路２を介して受信した出力情報の受信値を測定し、出力値設定部１０１はこの測定した受信値を基に、出力値などの設定を行う。
第２実施形態における処理は、保守情報が出力情報にインサートされたり、出力情報から抽出される処理がなく、また、保守情報がネットワーク３を介して送受信されること以外は、図８、図９、図１１、図１２、図１３とほぼ同様であるため、処理の詳細な説明を省略する。
ネットワーク３は、光ケーブルで構成されていなくてもよい。
【００７７】
第２実施形態によれば、出力情報中に保守情報をインサートすることが不要であるため、出力情報が伝送路帯域に対し１００％の状態であっても、保守情報の送受信が可能である。つまり、伝送路２の帯域を節約することができる。
第２実施形態によれば、伝送路２が完全に遮断された状態となっても、保守情報の送受信が可能であるため、信頼性を向上させることができる。
【００７８】
なお、本実施形態では伝送路２が光ケーブルである場合を想定しているが、これに限らず、伝送路２がその他の形式である場合にも適用可能である。
【符号の説明】
【００７９】
１，１Ａ，１Ｂ，１ａ，１Ａａ，１Ｂａ，１ｂ，１Ａｂ，１Ｂｂ  伝送装置
２      伝送路
３      ネットワーク
４，４Ａ，４Ｂ  端末
１０，１０Ａ，１０Ｂ，１０ｂ  トランスポンダ部
２０，２０Ａ，２０Ｂ，２０ｂ  監視制御部
１００，１００Ａ，１００Ｂ  ボードコントローラ
１０１，１０１Ａ，１０１Ｂ  出力レベル設定部
１０２，１０２Ａ，１０２Ｂ  記憶部
２００，２００Ａ，２００Ｂ，２００ｂ  端末接続部
３００，３００Ａ，３００Ｂ，３００ｂ  データ処理部
３０１，３０１Ａ，３０１Ｂ  インサート部
３０２，３０２Ａ，３０２Ｂ  抽出部
３０３，３０３Ａ，３０３Ｂ  受信レベル監視部
４００，３００Ａ，４００Ｂ，４００ｂ  光・電気変換部
４０１，４０１Ａ，４０１Ｂ  送信部
４０２，４０２Ａ，４０２Ｂ  受信部
６０１  最大出力値
６０２  最小出力値
６１１  受信可能最大入力値
６１２  受信可能最小入力値
６２１  受信可能範囲外
７０１  最大出力上限値
７０２  出力適正値
７０３  最小出力下限値
７１１  受信推奨入力値
７１２  レベルマージン
７１３  受信可能最大入力差分
Ｚ，Ｚａ，Ｚｂ  光伝送システム（伝送システム）
【図１】
0005740289.tif 000002
【図２】
0005740289.tif 000003
【図３】
0005740289.tif 000004
【図４】
0005740289.tif 000005
【図５】
0005740289.tif 000006
【図６】
0005740289.tif 000007
【図７】
0005740289.tif 000008
【図８】
0005740289.tif 000009
【図９】
0005740289.tif 000010
【図１０】
0005740289.tif 000011
【図１１】
0005740289.tif 000012
【図１２】
0005740289.tif 000013
【図１３】
0005740289.tif 000014
【図１４】
0005740289.tif 000015
【図１５】
0005740289.tif 000016